(57)【要約】【課題】光学シート支持部材を透過する光源からの光の透過率が下がることに起因して表示部上の輝度が低下するのを抑制するとともに、表示部に生じる光学シート支持部材による影が視認されるのを抑制することが可能な表示装置を提供する。【解決手段】この液晶テレビジョン装置１００は、表示部１と、ＬＥＤ７と、拡散板１１と、ＬＥＤ７から発せられた光を透過可能に構成されているとともに、拡散板１１を支持するパネルポスト１３とを備え、パネルポスト１３は、拡散板１１に向かって先細り形状を有するとともに、パネルポスト１３の表面の一部には、ＬＥＤ７から発せられた光を拡散可能に構成されている側面１３ｇ〜側面１３ｊが設けられている。【選択図】図７
2015191099.tif 000002
【特許請求の範囲】
【請求項１】
表示部と、
前記表示部の背面側に配置され、前記表示部に光を照射する光源と、
前記表示部と前記光源との間に配置される光学シートと、
前記光源から発せられた光を透過可能に構成されているとともに、前記光学シートを前記光学シートの背面側から支持する光学シート支持部材とを備え、
前記光学シート支持部材は、前記光学シートを支持する側が前記光学シートに向かって先細り形状を有するとともに、前記光学シート支持部材の表面の一部には、前記光源から発せられた光を拡散可能に構成されている拡散部が設けられている、表示装置。
【請求項２】
前記拡散部は、前記光学シート支持部材の表面のうちの前記光源と対向する対向表面の少なくとも一方の端部を含むように設けられている、請求項１に記載の表示装置。
【請求項３】
前記光学シート支持部材は、前記光源と対向する対向表面と、前記対向表面とは反対側の裏面と、一方側端面と、他方側端面とを有する平板形状に形成されており、
前記拡散部は、前記一方側端面および前記他方側端面のうちの少なくとも一方に設けられている、請求項２に記載の表示装置。
【請求項４】
前記対向表面と前記裏面とは、前記光学シートに向かって先細り形状に形成されている、請求項３に記載の表示装置。
【請求項５】
前記拡散部は、シボ加工された形状、または、プリズム形状を有するように形成されている、請求項１〜４のいずれか１項に記載の表示装置。
【請求項６】
前記光学シート支持部材の前記光学シート側の先端部には、前記光学シートと点接触または線接触する接触部が設けられている、請求項１〜５のいずれか１項に記載の表示装置。
【請求項７】
前記接触部は、前記光学シートと点接触するとともに略半球形状に形成されている、請求項６に記載の表示装置。
【請求項８】
前記光学シート支持部材は、複数設けられており、
前記複数の光学シート支持部材は、それぞれ互いに離間して直線状に配置されている、請求項１〜７のいずれか１項に記載の表示装置。
【請求項９】
前記光源は、複数設けられており、
前記複数の光源は、第１方向に沿って直線状に配置されており、
前記拡散部は、前記光学シート支持部材の表面のうちの前記第１方向に直交する方向に沿った前記光学シート支持部材の表面部分に設けられている、請求項１〜８のいずれか１項に記載の表示装置。
【発明の詳細な説明】
【技術分野】
【０００１】
この発明は、表示装置に関し、特に、光学シート支持部材を備えた表示装置に関する。
【背景技術】
【０００２】
従来、光学シート支持部材を備えた表示装置が知られている（たとえば、特許文献１参照）。
【０００３】
上記特許文献１には、スペーサ部材を備えたディスプレイ装置が開示されている。このディスプレイ装置は、画像表示素子（表示部）と、光源と、光学シートと、スペーサ部材とを備えている。そして、スペーサ部材は、先端を光学シートと接合させて光学シートを支持するように構成されている。これにより、光学シートの撓みが抑制され、光学シートの撓みによる輝度ムラを抑制することが可能となる。また、スペーサ部材の全体に光を分散させる無機物または有機物からなる粒子が含有されている。これにより、スペーサ部材に入射される光が拡散されて、画像表示素子上に生じるスペーサ部材による影が視認されるのを抑制することが可能に構成されている。
【先行技術文献】
【特許文献】
【０００４】
【特許文献１】特開２００９−１５０９８１号公報
【発明の概要】
【発明が解決しようとする課題】
【０００５】
一般的に、スペーサ部材と光源との位置関係などによって、スペーサ部材の光が照射される部分のうち、影が生じやすい部分と、影が生じにくい部分とが生じることが知られている。しかしながら、上記特許文献１のディスプレイ装置では、スペーサ部材の全体に光を分散させる無機物または有機物からなる粒子を含有するように構成されているため、スペーサ部材のうちの影が生じにくい部分にも粒子が含まれるので、スペーサ部材を透過する光の透過率が下がるという不都合があると考えられる。その結果、画像表示素子（表示部）上の輝度が低下するという問題点があると考えられる。
【０００６】
この発明は、上記のような課題を解決するためになされたものであり、この発明の１つの目的は、光学シート支持部材を透過する光の透過率が下がることに起因して表示部上の輝度が低下するのを抑制するとともに、表示部に生じる光学シート支持部材による影が視認されるのを抑制することが可能な表示装置を提供することである。
【課題を解決するための手段】
【０００７】
上記目的を達成するために、この発明の一の局面による表示装置では、表示部と、表示部の背面側に配置され、表示部に光を照射する光源と、表示部と光源との間に配置される光学シートと、光源から発せられた光を透過可能に構成されているとともに、光学シートを光学シートの背面側から支持する光学シート支持部材とを備え、光学シート支持部材は、光学シートを支持する側が光学シートに向かって先細り形状を有するとともに、光学シート支持部材の表面の一部には、光源から発せられた光を拡散可能に構成されている拡散部が設けられている。
【０００８】
この発明の一の局面による表示装置では、上記のように、光源から発せられた光を透過可能に構成されている光学シート支持部材の表面の一部に、光源から発せられた光を拡散可能に構成されている拡散部を設ける。これにより、光学シート支持部材のうちの影が生じやすい部分のみに拡散部を設けるように構成することによって、拡散部を設けない部分では、光学シート支持部材を透過する光の透過率が下がるのを抑制しながら、光学シート支持部材のうちの影が生じやすい部分では拡散部により光が拡散される。その結果、光学シート支持部材を透過する光の透過率が下がることに起因して表示部上の輝度が低下するのを抑制するとともに、表示部に生じる光学シート支持部材による影が視認されるのを抑制することができる。
【０００９】
上記一の局面による表示装置において、好ましくは、拡散部は、光学シート支持部材の表面のうちの光源と対向する対向表面の少なくとも一方の端部を含むように設けられている。ここで、光を透過可能に構成された光学シート支持部材を用いる表示装置では、光源から光学シート支持部材の端部に光が照射された場合、照射された光が端部により屈折される（照射方向に進む光量が減る）ことによって、光学シート上に影が生じる場合がある。そこで、拡散部を上記のように構成することによって、光源から光学シート支持部材の端部に照射される光が拡散部により拡散される。その結果、照射方向にも光が照射（拡散）されるので、効果的に、表示部に生じる影が視認されるのを抑制することができる。
【００１０】
この場合、好ましくは、光学シート支持部材は、光源と対向する対向表面と、対向表面とは反対側の裏面と、一方側端面と、他方側端面とを有する平板形状に形成されており、拡散部は、一方側端面および他方側端面のうちの少なくとも一方に設けられている。このように構成すれば、光源から光学シート支持部材の一方側端面または他方側端面に照射される光が拡散部により拡散されるので、照射方向にも光が照射（拡散）される。その結果、より効果的に、表示部に生じる影が視認されるのを抑制することができる。
【００１１】
上記平板形状を有する光学シート支持部材を備える表示装置において、好ましくは、対向表面と裏面とは、光学シートに向かって先細り形状に形成されている。ここで、平板形状の光学シート支持部材の一方側端面および他方側端面の幅（厚み）をそれぞれ小さくして光学シート支持部材の厚みを薄くした場合に、光学シート支持部材の強度が小さくなる場合がある。これに対して、上記のように対向表面と裏面とを光学シートに向かって先細り形状に形成することによって、平板形状の光学シート支持部材の厚みを一定にした状態で、光学シート支持部材を先細り形状に形成することができるので、光学シート支持部材の強度を維持しながら、光学シート支持部材と光学シートとの接触面積を小さくすることができる。その結果、光学シート支持部材の強度を維持しながら、光学シート支持部材と光学シートとの接触位置に対応する位置に生じる光学シートおよび表示部上の影が視認されるのを抑制することができる。
【００１２】
上記一の局面による表示装置において、好ましくは、拡散部は、シボ加工された形状、または、プリズム形状を有するように形成されている。このように構成すれば、シボ加工またはプリズム形状に加工された表面により、容易に、光源からの光を拡散することができる。
【００１３】
上記一の局面による表示装置において、好ましくは、光学シート支持部材の光学シート側の先端部には、光学シートと点接触または線接触する接触部が設けられている。このように構成すれば、光学シート支持部材と光学シートとが面接触する場合と異なり、光学シート支持部材と光学シートとの接触面積をより小さくすることができるので、光学シート支持部材と光学シートとの接触位置に対応する位置に生じる光学シートおよび表示部上の影が視認されるのをより抑制することができる。
【００１４】
この場合、好ましくは、接触部は、光学シートと点接触するとともに略半球形状に形成されている。このように構成すれば、接触部が角形状を有する場合と異なり、光学シート支持部材と光学シートとが接触することによって生じる破損を抑制することができる。
【００１５】
上記一の局面による表示装置において、好ましくは、光学シート支持部材は、複数設けられており、複数の光学シート支持部材は、それぞれ互いに離間して直線状に配置されている。このように構成すれば、安定した状態で（たわみを抑制しながら）、光学シートを支持することができる。
【００１６】
上記一の局面による表示装置において、好ましくは、光源は、複数設けられており、複数の光源は、第１方向に沿って直線状に配置されており、拡散部は、光学シート支持部材の表面のうちの第１方向に直交する方向に沿った光学シート支持部材の表面部分に設けられている。ここで、光学シート支持部材の表面のうちの第１方向に直交する方向に沿った光学シート支持部材の表面部分は、光源からの光が照射されることによる影が生じやすい場合が多い。この点において、本発明では、上記のように拡散部を、光学シート支持部材の表面のうちの第１方向に直交する方向に沿った光学シート支持部材の表面部分に設けることによって、効果的に、表示部に生じる光学シート支持部材による影が視認されるのを抑制することができる。
【発明の効果】
【００１７】
本発明によれば、上記のように、光学シート支持部材を透過する光源からの光の透過率が下がることに起因して表示部上の輝度が低下するのを抑制するとともに、表示部に生じる光学シート支持部材による影が視認されるのを抑制することができる。
【図面の簡単な説明】
【００１８】
【図１】本発明の第１実施形態による液晶テレビジョン装置の全体構成を示した斜視図である。
【図２】本発明の第１実施形態による液晶テレビジョン装置の全体の構成を示した背面図である。
【図３】本発明の第１実施形態による液晶テレビジョン装置の分解斜視図である。
【図４】本発明の第１実施形態による反射シートの平面図である。
【図５】図２における２００−２００線に沿った断面図である。
【図６】本発明の第１実施形態によるパネルポストの矢印Ｚ２方向から視た図である。
【図７】本発明の第１実施形態によるパネルポストの斜視図である。
【図８】本発明の第１実施形態によるパネルポストによる光の拡散を説明するためのパネルポストの矢印Ｙ１方向から視た図（１）である。
【図９】本発明の第１実施形態によるパネルポストによる光の拡散を説明するためのパネルポストの矢印Ｙ１方向から視た図（２）である。
【図１０】本発明の第１実施形態によるパネルポストによる光の拡散を説明するためのパネルポストの矢印Ｚ２方向から視た図（１）である。
【図１１】本発明の第１実施形態によるパネルポストによる光の拡散を説明するためのパネルポストの矢印Ｚ２方向から視た図（２）である。
【図１２】本発明の第２実施形態によるパネルポストの矢印Ｚ２方向から視た図である。
【図１３】本発明の第２実施形態によるパネルポストの斜視図である。
【図１４】本発明の第３実施形態によるパネルポストの矢印Ｚ２方向から視た図である。
【図１５】本発明の第３実施形態によるパネルポストの斜視図である。
【図１６】本発明の第４実施形態によるパネルポストの斜視図である。
【図１７】本発明の第４実施形態によるパネルポストの領域Ｄにおける拡大斜視図である。
【図１８】本発明の第５実施形態によるパネルポストの斜視図である。
【図１９】本発明の第１実施形態によるパネルポストの第１変形例を示す斜視図である。
【図２０】本発明の第１実施形態によるパネルポストの第２変形例を示す斜視図である。
【図２１】本発明の第１実施形態によるパネルポストの第３変形例を示す斜視図である。
【発明を実施するための形態】
【００１９】
以下、本発明の実施形態を図面に基づいて説明する。
【００２０】
（第１実施形態）
まず、図１〜図１１を参照して、本発明の第１実施形態による液晶テレビジョン装置１００の構成について説明する。なお、液晶テレビジョン装置１００は、本発明の「表示装置」の一例である。
【００２１】
図１および図２に示すように、液晶テレビジョン装置１００は、映像が表示される液晶セルからなる表示部１と、表示部１を正面側（矢印Ｙ１方向側）から支持する樹脂製の前部筐体２と、液晶テレビジョン装置１００を下方（矢印Ｚ２方向側）から支持する樹脂製のスタンド部材３とを備える。具体的には、前部筐体２は、正面視において（矢印Ｙ１方向側から見て）、矩形状の外形を有する枠状に形成されている。前部筐体２の中央部には、表示部１を正面側に露出させるための矩形状の開口部２ａが設けられている。
【００２２】
また、図３に示すように、液晶テレビジョン装置１００は、前部筐体２と背面側（矢印Ｙ２方向側）から組み合わされる金属製のリアフレーム４を備える。また、このリアフレーム４は、前部筐体２の背面側に嵌り込む矩形状の縁部４ａを有する。また、リアフレーム４は、後方（矢印Ｙ２方向）に窪む凹形状に形成されている。なお、リアフレーム４は、ネジ部材（図示せず）によって前部筐体２に固定されている。また、図２に示すように、リアフレーム４の背面側には、リアフレーム４よりも小さい矩形状を有する樹脂製のカバー部材５が配置されている。カバー部材５は、リアフレーム４の背面に配置される電源基板や信号処理基板などの種々の基板（図示せず）を覆うように設けられている。また、カバー部材５は、ネジ部材（図示せず）によってリアフレーム４に固定されている。これらのリアフレーム４およびカバー部材５によって、前部筐体２に対応する後部筐体が構成されている。
【００２３】
そして、図３に示すように、リアフレーム４の表面（矢印Ｙ１方向側の面）には、板金製の２つのヒートシンク６が左右方向（Ｘ方向）に沿って配置されている。また、ヒートシンク６の表面には、表示部１に背面側（矢印Ｙ２方向側）から光を照射する８つのＬＥＤ（Ｌｉｇｈｔ  Ｅｍｉｔｔｉｎｇ  Ｄｉｏｄｅ）７が実装された基板８がそれぞれ配置されている。なお、ＬＥＤ７は、本発明の「光源」の一例である。また、左右方向（Ｘ方向）は、本発明の「第１方向」の一例である。
【００２４】
また、図３に示すように、８つのＬＥＤ７は、基板８の表面に、基板８の延びる方向（Ｘ方向）に沿って間隔を隔ててそれぞれ実装されている。そして、図３に示すように、基板８のＬＥＤ７が実装された表面（矢印Ｙ１方向側の面）に、ＬＥＤ７をそれぞれ覆う光源レンズ９が取り付けられている。この光源レンズ９は、アクリルなどの樹脂により構成されており、ＬＥＤ７からの出射光の出射角度を広げるように構成されている。また、光源レンズ９には、光源レンズ９の底面から基板８側に延びる柱状のボス９ａが設けられている。このボス９ａが基板８の表面に接着されることにより、基板８の表面のＬＥＤ７に対応する位置に光源レンズ９が取り付けられる。
【００２５】
そして、図３に示すように、光源レンズ９の正面側（矢印Ｙ１方向側）から、ＬＥＤ７から発せられる光を表示部１側に反射する樹脂製（たとえば、ＰＥＴ（Ｐｏｌｙｅｔｈｙｌｅｎｅｔｅｒｅｐｈｔａｌａｔｅ）など）の反射シート１０が基板８に配置されている。この反射シート１０は、基板８の表面上に配置された状態で、リアフレーム４に沿った形状（矢印Ｙ２方向側に窪む凹形状）を有する。具体的には、反射シート１０は、左右方向（Ｘ方向）に延びる長方形形状を有する反射シート底面部１０ａと、反射シート底面部１０ａの４辺を取り囲むように配置される４つの反射シート斜面部１０ｂとを含む。なお、図３に示すように、反射シート底面部１０ａは、後述する拡散板１１および偏光フィルタ１２に対して平行に延びるように形成されている。また、反射シート斜面部１０ｂは、反射シート底面部１０ａの端部からリアフレーム４の縁部４ａに向かって傾斜して延びるように形成されている。なお、拡散板１１および偏光フィルタ１２は、本発明の「光学シート」の一例である。
【００２６】
また、図３に示すように、拡散板１１は、Ｚ方向およびＸ方向に延びる平板形状に形成されている。拡散板１１と表示部１との間には、拡散板１１を透過した光の偏光方向を揃えて表示部１へ出射する偏光フィルタ１２が配置されている。偏光フィルタ１２は、Ｚ方向およびＸ方向に延びるように形成されており、拡散板１１と同様の平板形状に形成されている。また、表示部１は、偏光フィルタ１２から出射された偏光方向を揃えられた光に対して、表示部１に含まれる液晶の透過率を変化させることなどを行うことによって、画像の表示が行われる。
【００２７】
そして、図４に示すように、反射シート１０の反射シート底面部１０ａには、１６個のＬＥＤ７（光源レンズ９）のそれぞれの配置位置に対応する位置に光源用開口部１０ｃが左右方向（Ｘ方向）に間隔を隔てて直線状に設けられている。また、反射シート底面部１０ａには、拡散板１１および偏光フィルタ１２を支持するためのパネルポスト１３を貫通させることが可能に形成されたパネルポスト用開口部１０ｄが２つ設けられている。なお、パネルポスト１３は、本発明の「光学シート支持部材」の一例である。
【００２８】
ここで、第１実施形態では、図３に示すように、パネルポスト１３は、透明の樹脂等（たとえば、ポリカーボネートなど）により構成されており、ＬＥＤ７から発せられた光を透過可能に構成されている。また、パネルポスト１３は、２つ設けられており、それぞれ互いに離間して直線状に（Ｘ方向に並んで）配置されている。
【００２９】
そして、図３および図５に示すように、リアフレーム４の表面（矢印Ｙ１方向側の面）には、パネルポスト１３の固定部１３ａを嵌めることが可能に形成された２つのパネルポスト固定用開口部４ｂが設けられている。また、リアフレーム４の表面（矢印Ｙ１方向側の面）には、パネルポスト１３の固定部１３ｂを嵌めることが可能に形成された２つのパネルポスト固定用開口部４ｃが設けられている。また、パネルポスト１３には、固定部１３ａと固定部１３ｂとが設けられている。そして、パネルポスト１３の固定部１３ａは、一対の引っ掛かり部が設けられており、パネルポスト固定用開口部４ｂに一旦嵌められると抜けにくくなるように形成されている。また、固定部１３ｂは、パネルポスト固定用開口４ｃに嵌められることによって、パネルポスト１３が回転するのを防止している。これにより、パネルポスト１３がリアフレーム４に固定されるとともに、パネルポスト１３の設置方向を定めることが可能に構成されている。
【００３０】
ここで、第１実施形態では、図６および図７に示すように、パネルポスト１３の拡散板１１側（矢印Ｙ１方向）の先端部には、拡散板１１と点接触する接触部１３ｃが設けられている。接触部１３ｃは、拡散板１１と点接触するとともに略半球形状に形成されている。そして、図５に示すように、パネルポスト１３は、拡散板１１を拡散板１１の背面側（矢印Ｙ２方向）から点接触することにより支持するように構成されている。
【００３１】
また、第１実施形態では、図６および図７に示すように、パネルポスト１３は、固定部１３ａと固定部１３ｂとに正面側（矢印Ｙ１方向）に接続された角部が円弧状の長方形形状を有するベース部１３ｄが設けられている。そして、パネルポスト１３は、ベース部１３ｄから正面側（矢印Ｙ１方向）に向かって突出するように設けられた、ＬＥＤ７と対向する対向表面１３ｅと、対向表面１３ｅとは反対側（矢印Ｚ１方向）の裏面１３ｆと、側面１３ｇ〜１３ｊとにより形成される平板形状を有するように構成されている。また、対向表面１３ｅと、裏面１３ｆとは、ベース部１３ｄ側が長方形形状および接触部１３ｃ側が三角形形状を有するように構成されている。また、側面１３ｇ〜１３ｊは、いずれも厚み（幅）ｔの長方形形状を有するように形成されている。なお、側面１３ｇおよび側面１３ｈは、本発明の「一方側端面」、「端部」および「拡散部」の一例である。また、側面１３ｉおよび側面１３ｊは、本発明の「他方側端面」、「端部」および「拡散部」の一例である。
【００３２】
また、第１実施形態では、図６および図７に示すように、パネルポスト１３は、対向表面１３ｅと裏面１３ｆとは、拡散板１１方向（矢印Ｙ１方向）に向かって先細り形状に形成されている。具体的には、側面１３ｈと側面１３ｊとは、正面方向（Ｙ方向）に向かってベース部１３ｄからそれぞれ平行に延びるように構成されている。そして、対向表面１３ｅのうちの側面１３ｈと側面１３ｊとに挟まれる領域では、対向表面１３ｅは、幅Ｗ１を有するように構成されている。そして、側面１３ｇと側面１３ｉとは、それぞれ側面１３ｈと側面１３ｊと接続されるように形成されており、側面１３ｇと側面１３ｉとは、互いにそれぞれ接触部１３ｃに向かって（矢印Ｙ１方向側）距離が小さくなるように（先細り形状に）形成されている。そして、側面１３ｇと側面１３ｉとは、それぞれ接触部１３ｃと接続されるように構成されている。そして、側面１３ｇおよび側面１３ｉと、接触部１３ｃとが接続する位置の対向表面１３ｅおよび裏面１３ｆは、幅Ｗ２を有するように構成されている。そして、幅Ｗ２と厚みｔとの大きさは等しい関係がある。すなわち、接触部１３ｃは、直径ｔの略半球形状を有するように形成されている。
【００３３】
ここで、第１実施形態では、図６および図７に示すように、パネルポスト１３の側面１３ｇ〜１３ｊは、シボ加工（サンドブラスト法など）により凹凸形状を有し、ＬＥＤ７から発せられた光を拡散可能に構成されている。すなわち、側面１３ｇ〜１３ｊは、パネルポスト１３の表面のうちの左右方向（Ｘ方向）に直交する方向（Ｚ方向）に沿ったパネルポスト１３の表面部分に設けられている。
【００３４】
次に、図８および図９を参照して、パネルポスト１３の側面１３ｇ〜１３ｊによる正面視（矢印Ｙ１方向から視た場合）におけるＬＥＤ７からの光の拡散について説明する。
【００３５】
まず、図８に示すように、パネルポスト２０１は、対向表面２０１ｅと、裏面２０１ｆと、側面２０１ｇ〜側面２０１ｊとを含み、側面２０１ｇ〜側面２０１ｊにはシボ加工が施されていない。そして、パネルポスト２０１にＬＥＤ７からの光が、対向表面２０１ｅから矢印Ａ１方向に入射した場合には、一部の光は、パネルポスト２０１の側面２０１ｇ〜側面２０１ｊの内側で反射される（たとえば、図８では、側面２０１ｈの内側で反射される）。そして、側面２０１ｈにより反射された光は、パネルポスト２０１内を導光して、矢印Ａ２方向に進む。また、パネルポスト２０１の対向表面２０１ｅから矢印Ａ１方向に入射した光のうち側面２０１ｇ〜側面２０１ｊにより反射されない光は、裏面２０１ｆから矢印Ａ１方向に出射する。そして、ＬＥＤ７から矢印Ａ１方向に進む光のうちパネルポスト２０１に入射されない光と、裏面２０１ｆから矢印Ａ１方向に出射された光との間の領域Ｂには、矢印Ａ１方向に進む光は少なくなる。すなわち、領域Ｂの矢印Ａ１方向の延長線上に対応する拡散板１１上の位置に影が生じる。
【００３６】
一方、第１実施形態では、図９に示すように、側面１３ｇ〜側面１３ｊにはシボ加工が施されている。そして、パネルポスト１３にＬＥＤ７からの光が、対向表面１３ｅから矢印Ａ１方向に入射した場合には、一部の光は、シボ加工による凹凸形状を有する側面１３ｇ〜側面１３ｊ（たとえば、図９では、側面１３ｈ）により拡散される。そして、側面１３ｈにより拡散された光の一部は、側面１３ｈから出射して、矢印Ａ１方向に進む。また、側面１３ｈにより拡散された光の一部は、パネルポスト１３内を導光して、矢印Ａ２方向に進む。また、拡散された光の一部は、側面１３ｈから出射して、矢印Ａ３方向に進む。これにより、領域Ｂには、側面１３ｇ〜側面１３ｊがシボ加工されていないパネルポスト１３を用いた場合に比べて、矢印Ａ１方向に進む光は多くなる。すなわち、領域Ｂの矢印Ａ１方向の延長線上に対応する拡散板１１上の位置に影が生じるのが抑制される。
【００３７】
次に、図１０および図１１を参照して、パネルポスト１３の側面１３ｇ〜１３ｊによる平面視（矢印Ｚ１方向から視た場合）におけるＬＥＤ７からの光の拡散について説明する。
【００３８】
まず、図１０に示すように、パネルポスト２０１は、固定部２０１ａと、固定部２０１ｂと、接触部２０１ｃと、ベース部２０１ｄと、対向表面２０１ｅと、裏面２０１ｆと、側面２０１ｇ〜側面２０１ｊとを含む。側面２０１ｇ〜側面２０１ｊがシボ加工されていないパネルポスト２０１にＬＥＤ７からの光が、側面２０１ｊから矢印Ａ４方向に入射した場合には、入射した光は、パネルポスト２０１の内部を透過して、側面２０１ｈから出射される。そして、出射された光は、側面２０１ｈから矢印Ａ４方向に進む。この場合、拡散板１１の接触部２０１ｃと接触する領域Ｃには、側面２０１ｊから矢印Ａ４方向に入射した光は、照射されない。
【００３９】
一方、第１実施形態では、図１１に示すように、側面１３ｇ〜側面１３ｊにはシボ加工が施されている。そして、パネルポスト１３にＬＥＤ７からの光が、側面１３ｊから矢印Ａ４方向に入射した場合には、一部の光は、シボ加工による凹凸形状を有する側面１３ｇ〜側面１３ｊ（たとえば、図１１では、側面１３ｊ）により拡散される。そして、側面１３ｊにより拡散された光の一部は、パネルポスト１３内を導光して、側面１３ｇから出射して、矢印Ａ５方向に進む。また、拡散された光の一部は、側面１３ｈから出射して、矢印Ａ６方向または矢印Ａ７方向に進む。また、拡散された光の一部は、接触部１３ｃから出射して、拡散板１１の領域Ｃに照射される。これにより、領域Ｃには、側面１３ｇ〜側面１３ｊがシボ加工されていないパネルポスト１３を用いた場合と異なり、光が照射される。一般的に、パネルポスト１３と拡散板１１とが接触する接触部１３ｃは、影が生じやすいので、上記のように、拡散された光が照射されることにより、生じる影が薄くなる。
【００４０】
第１実施形態では、以下のような効果を得ることができる。
【００４１】
第１実施形態では、上記のように、ＬＥＤ７から発せられた光を透過可能に構成されているパネルポスト１３の一部に、ＬＥＤ７から発せられた光を拡散可能に構成されている側面１３ｇ〜側面１３ｊを設ける。これにより、パネルポスト１３のうちの影が生じやすい部分（たとえば、側面１３ｇ〜側面１３ｊ）のみにシボ加工を施すことによって、シボ加工が施されていない部分では、パネルポスト１３を透過する光の透過率が下がるのを抑制しながら、パネルポスト１３のうちの影が生じやすい部分（たとえば、図９の領域Ｂおよび図１１の領域Ｃ）では側面１３ｇ〜側面１３ｊにより光が照射される（図９および図１１参照）。その結果、パネルポスト１３を透過する光の透過率が下がることに起因して表示部１上の輝度が低下するのを抑制するとともに、表示部１に生じるパネルポスト１３による影が視認されるのを抑制することができる。
【００４２】
また、第１実施形態では、上記のように、側面１３ｇ〜側面１３ｊを、パネルポスト１３の表面のうちのＬＥＤ７と対向する対向表面１３ｅの少なくとも一方の端部を含むように設ける。ここで、光を透過可能に構成されたパネルポスト１３を用いるテレビジョン装置１００では、ＬＥＤ７からパネルポスト１３の端部に光が照射された場合、照射された光が端部により屈折される（照射方向に進む光量が減る）（図８参照）ことによって、拡散板１１上に影が生じる場合がある。そこで、側面１３ｇ〜側面１３ｊを上記のように構成することによって、側面１３ｇ〜側面１３ｊによりＬＥＤ７からパネルポスト１３の端部に照射される光が拡散される分、照射方向（図９の矢印Ａ１方向）にも光が照射（拡散）されるので、効果的に、表示部１に生じる影が視認されるのを抑制することができる。
【００４３】
また、第１実施形態では、上記のように、パネルポスト１３を、ＬＥＤ７と対向する対向表面１３ｅと、対向表面１３ｅとは反対側の裏面１３ｆと、側面１３ｇ〜側面１３ｊとを有する平板形状に形成して、側面１３ｇ〜側面１３ｊを、ＬＥＤ７から発せられた光を拡散可能に構成する。これにより、ＬＥＤ７からパネルポスト１３に照射される光が側面１３ｇ〜側面１３ｊにより拡散されるので、照射方向（図９の矢印Ａ１方向）にも光が照射（拡散）される。その結果、より効果的に、表示部１に生じる影が視認されるのを抑制することができる。
【００４４】
また、第１実施形態では、上記のように、対向表面１３ｅと裏面１３ｆとを、拡散板１１に向かって先細り形状に形成する。ここで、平板形状のパネルポスト１３の側面１３ｇ〜側面１３ｊの幅（厚み）をそれぞれ小さくしてパネルポスト１３の厚みを薄くした場合に、パネルポスト１３の強度が小さくなる場合がある。これに対して、上記のように対向表面１３ｅと裏面１３ｆとを拡散板１１に向かって先細り形状に形成することによって、平板形状のパネルポスト１３の厚みｔを一定にした状態で、パネルポスト１３を先細り形状に形成することができるので、パネルポスト１３の強度を維持しながら、パネルポスト１３と拡散板１１との接触面積を小さくすることができる。その結果、パネルポスト１３の強度を維持しながら、パネルポスト１３と拡散板１１との接触位置に対応する位置に生じる拡散板１１および表示部１上の影が視認されるのを抑制することができる。
【００４５】
また、第１実施形態では、上記のように、側面１３ｇ〜側面１３ｊを、シボ加工された形状を有するように形成する。これにより、シボ加工に加工された表面により、容易に、ＬＥＤ７からの光を拡散することができる。
【００４６】
また、第１実施形態では、上記のように、パネルポスト１３の拡散板１１側（矢印Ｙ１方向側）の先端部は、拡散板１１と点接触する接触部１３ｃが設ける。これにより、パネルポスト１３と拡散板１１とが面接触する場合と異なり、パネルポスト１３と拡散板１１との接触面積をより小さくすることができるので、パネルポスト１３と拡散板１１との接触位置に対応する位置に生じる拡散板１１および表示部１上の影が視認されるのをより抑制することができる。
【００４７】
また、第１実施形態では、上記のように、接触部１３ｃを、拡散板１１と点接触するとともに略半球形状に形成する。これにより、接触部１３ｃが角形状を有する場合と異なり、パネルポスト１３と拡散板１１とが接触することによって生じる破損を抑制することができる。
【００４８】
また、第１実施形態では、上記のように、パネルポスト１３を、２つ設けて、２つのパネルポスト１３を、それぞれ互いに離間して直線状（Ｘ方向）に配置する。これにより、安定した状態で（たわみを抑制しながら）、拡散板１１を支持することができる。
【００４９】
また、第１実施形態では、上記のように、ＬＥＤ７を、１６個設けて、１６個のＬＥＤ７を、左右方向（Ｘ方向）に沿って直線状に配置して、シボ加工された側面１３ｇ〜側面１３ｊを、左右方向（Ｘ方向）に直交する方向（Ｙ方向）に沿ったパネルポスト１３の表面部分に設ける。ここで、パネルポスト１３の表面のうちの左右方向（Ｘ方向）に直交する方向（Ｙ方向）に沿ったパネルポスト１３の表面部分は、ＬＥＤ７からの光が照射されることによる影が生じやすい場合が多い。上記のようにシボ加工された側面１３ｇ〜側面１３ｊを、パネルポスト１３の表面のうちの第１方向に直交する方向に沿ったパネルポスト１３の表面部分に設けることによって、効果的に、表示部１に生じるパネルポスト１３による影が視認されるのを抑制することができる。
【００５０】
（第２実施形態）
次に、図１２および図１３を参照して、第２実施形態による液晶テレビジョン装置１０１の構成について説明する。第２実施形態では、パネルポストの対向表面および裏面は、ベース部から拡散板の方向に平行方向沿って延びるように形成されている部分と、先細り形状を有する部分とが設けられていた第１実施形態による液晶テレビジョン装置１００と異なり、パネルポストは、ベース部から接触部に向かって直線的に連続して先細りする形状を有するように形成されている。
【００５１】
図１２に示すように、第２実施形態による液晶テレビジョン装置１０１は、パネルポスト１４を含む。そして、パネルポスト１４は、固定部１３ａと、固定部１３ｂと、接触部１３ｃと、ベース部１３ｄと、対向表面１４ａと、裏面１４ｂと、側面１４ｃおよび側面１４ｄとを含む。そして、対向表面１４ａと裏面１４ｂとは、ベース部１３ｄから接触部１３ｃ（拡散板１１方向（矢印Ｙ１方向））に向かって先細り形状に形成されている。具体的には、対向表面１４ａおよび裏面１４ｂは、ベース部１３ｄと接続される部分では、幅Ｗ１を有するように形成されている。そして、側面１４ｃと側面１４ｄとは、互いにそれぞれ接触部１３ｃに向かって（矢印Ｙ１方向側）距離が小さくなるように（先細り形状に）形成されている。そして、対向表面１４ａと裏面１４ｂとは、略三角形形状を有するように形成されている。すなわち、パネルポスト１４は、ベース部１３ｄから接触部１３ｃに向かって直線的に連続して先細りする形状を有するように形成されている。
【００５２】
また、図１３に示すように、側面１４ｃと側面１４ｄとは、ベース部１３ｄから接触部１３ｃ（拡散板１１方向（矢印Ｙ１方向））に向かって先細り形状に形成されている。具体的には、側面１４ｃおよび側面１４ｂは、ベース部１３ｄと接続される部分では、厚みｔ１を有するように形成されている。そして、対向表面１４ａと裏面１４ｂとは、互いにそれぞれ接触部１３ｃに向かって（矢印Ｙ１方向側）距離が小さくなるように（先細り形状に）形成されている。そして、側面１４ｃおよび側面１４ｂは、接触部１３ｃと接続される部分では、厚みｔ１よりも小さい厚みｔを有するように形成されている。
【００５３】
そして、図１３に示すように、側面１４ｃと側面１４ｄは、シボ加工により凹凸形状を有するように構成されている。これにより、第１実施形態によるパネルポスト１３と同様に、ＬＥＤ７からの光を拡散可能に構成されている。また、第２実施形態による液晶テレビジョン装置１０１のその他の構成は、第１実施形態における液晶テレビジョン装置１００と同様である。
【００５４】
第２実施形態では、以下のような効果を得ることができる。
【００５５】
第２実施形態では、上記のように、パネルポスト１４を、ベース部１３ｄから接触部１３ｃに向かって直線的に連続して先細りする形状を有するように形成する。これにより、パネルポスト１４を、ベース部１３ｄから接触部１３ｃに向かって曲線的に形成する場合、または、パネルポスト１４を、ベース部１３ｄから接触部１３ｃに向かって段階的に先細り形状を形成する場合と異なり、パネルポスト１４の構成が複雑化するのを抑制することができる。また、第２実施形態による液晶ディスプレイ装置１０１のその他の効果は、第１実施形態における液晶ディスプレイ装置１００と同様である。
【００５６】
（第３実施形態）
次に、図１４および図１５を参照して、第３実施形態による液晶ディスプレイ装置１０２の構成について説明する。第３実施形態では、平板形状に形成されたパネルポストを備えていた第１実施形態の液晶ディスプレイ装置１００とは異なり、略円錐形状に形成されたパネルポストを備える。
【００５７】
図１４に示すように、第３実施形態による液晶テレビジョン装置１０２は、パネルポスト１５を含む。そして、パネルポスト１５は、固定部１３ａと、固定部１３ｂと、接触部１３ｃと、ベース部１３ｄと、本体部１５ａとを含む。そして、パネルポスト１５の本体部１５ａは、ベース部１３ｄから接触部１３ｃに向かって先細り形状を有するように構成されており、接触部１３ｃを頂点とした高さｈ１の略円錐形状を有するように形成されている。具体的には、パネルポスト１５の本体部１５ａとベース部１３ｄとが接続する部分では、本体部１５ａの断面（ＸＺ平面）は、直径Ｗ１の円形形状を有するように構成されている。そして、本体部１５ａと接触部１３ｃとが接続する部分では、本体部１５ａの断面（ＸＺ平面）は、直径ｔの円形形状を有するように構成されている。
【００５８】
そして、図１５に示すように、本体部１５ａの矢印Ｘ１方向および矢印Ｘ２方向側の側面の一部である側端面１５ｂと側端面１５ｃとは、ベース部１３ｄから高さｈ２までの領域に、それぞれシボ加工により凹凸形状を有するように構成されている。これにより、第１実施形態によるパネルポスト１３と同様に、ＬＥＤ７からの光を拡散可能に構成されている。また、第３実施形態による液晶テレビジョン装置１０２のその他の構成は、第１実施形態における液晶テレビジョン装置１００と同様である。
【００５９】
第３実施形態では、以下のような効果を得ることができる。
【００６０】
第３実施形態では、上記のように、パネルポスト１５を、略円錐形状に形成する。これにより、パネルポスト１５を平板形状に形成する場合に比べて、ベース部１３ｄと接続する面積を大きく構成することができるので、パネルポスト１５の破損を抑制することができる。また、第３実施形態による液晶テレビジョン装置１０２のその他の効果は、第１実施形態における液晶テレビジョン装置１００と同様である。
【００６１】
（第４実施形態）
次に、図１６および図１７を参照して、第４実施形態による液晶ディスプレイ装置１０３の構成について説明する。第４実施形態では、パネルポストの表面の一部をシボ加工することによりＬＥＤからの光を拡散させるように構成されていた第１実施形態による液晶ディスプレイ装置１００とは異なり、パネルポストの表面の一部をプリズム形状に形成する。
【００６２】
図１６に示すように、第４実施形態による液晶ディスプレイ装置１０３は、パネルポスト１６を含む。そして、パネルポスト１６は、固定部１３ｂと、接触部１３ｃと、ベース部１３ｄと、対向表面１３ｅと、側面１６ａ〜側面１６ｄとを含む。
【００６３】
ここで、第４実施形態では、図１６および図１７に示すように、パネルポスト１６の側面１６ｄは、プリズム形状（四角錐形状）（図１７参照）を有し、ＬＥＤ７からの光を拡散可能に構成されている。また、側面１６ａ〜側面１６ｃも、側面１６ｄと同様に、プリズム形状を有するように構成されている。そして、側面１６ａ〜側面１６ｄにＬＥＤ７からの光が照射された場合、照射された光は、拡散されるように構成されている。また、第４実施形態による液晶テレビジョン装置１０３のその他の構成は、第１実施形態における液晶テレビジョン装置１００と同様である。
【００６４】
第４実施形態では、以下のような効果を得ることができる。
【００６５】
第４実施形態では、上記のように、パネルポスト１６の側面１６ａ〜側面１６ｄを、プリズム形状（四角錐形状）（図１７参照）を有するように形成されている。これにより、側面１６ａ〜側面１６ｄにシボ加工を施すことにより拡散可能に構成する場合と異なり、プリズム形状を設計する（たとえば、プリズム形状のピッチ、プリズム形状のそれぞれの面の傾斜方向などを定める）ことができるので、より影が生じやすい部分（たとえば、接続部１３ｃ近傍など）に光を拡散させるように構成することができる。また、第４実施形態による液晶テレビジョン装置１０３のその他の効果は、第１実施形態における液晶テレビジョン装置１００と同様である。
【００６６】
（第５実施形態）
次に、図１８を参照して、第５実施形態による液晶ディスプレイ装置１０４の構成について説明する。第５実施形態では、パネルポストの接触部と拡散板とを点接触させるように構成されていた第１実施形態による液晶ディスプレイ装置１００とは異なり、パネルポストの接触部と拡散板とは線接触させるように構成されている。
【００６７】
図１８に示すように、第５実施形態による液晶ディスプレイ装置１０４は、パネルポスト１７を含む。そして、パネルポスト１７は、固定部１３ｂと、ベース部１３ｄと、対向表面１７ａと、裏面１７ｂと、側面１７ｃおよび側面１７ｄと、接触部１７ｇとを含む。
【００６８】
ここで、第４実施形態では、図１８に示すように、パネルポスト１７は、ベース部１３ｄから、対向表面１７ａと、裏面１７ｂと、側面１７ｃおよび側面１７ｄとが拡散板１１に向かって（矢印Ｙ１方向）突出して平板形状を有するように構成されている。また、側面１７ｃと側面１７ｄとは、それぞれベース部１３ｄ側（矢印Ｙ２方向側）が平面を有するとともに、拡散板１１側（矢印Ｙ１方向側）が曲面を有するように構成されており、接触部１７ｇを介して接続されるように構成されている。すなわち、パネルポスト１７の拡散板１１側は、アーチ形状（円弧状）を有するように構成されている。そして、パネルポスト１７の接触部１７ｅと拡散板１１とは線接触させるように構成されている。また、第５実施形態による液晶テレビジョン装置１０４のその他の構成は、第１実施形態における液晶テレビジョン装置１００と同様である。
【００６９】
第５実施形態では、以下のような効果を得ることができる。
【００７０】
第５実施形態では、上記のように、パネルポスト１７の接触部１７ｅと拡散板１１とを、線接触させるように構成する。これにより、パネルポスト１７と拡散板１１とが面接触する場合と異なり、パネルポスト１７と拡散板１１との接触面積をより小さくすることができるので、パネルポスト１７と拡散板１１との接触位置に対応する位置に生じる拡散板１１および表示部１上の影が視認されるのをより抑制することができる。また、パネルポスト１７と拡散板１１とが点接触する場合と異なり、接触部１７ｅを半球形状に形成する必要がないので、パネルポスト１７の構成が複雑化するのを抑制することができる。また、第５実施形態による液晶テレビジョン装置１０４のその他の効果は、第１実施形態における液晶テレビジョン装置１００と同様である。
【００７１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７２】
たとえば、上記第１〜第５実施形態では、本発明の表示装置として、液晶テレビジョン装置を用いる例を示したが、本発明はこれに限らない。本発明は、表示装置として液晶テレビジョン装置以外を用いてもよい。たとえば、ＰＣ（Ｐｅｒｓｏｎａｌ  Ｃｏｍｐｕｔｅｒ）用の表示装置などの一般的な表示装置に用いてもよい。
【００７３】
また、上記第１実施形態では、本発明のパネルポストの側面のうち全ての側面を、シボ加工することによりＬＥＤ７からの光を拡散可能に構成する例を示したが、本発明はこれに限られない。本発明は、パネルポストの側面のうち一部の側面を、シボ加工することによりＬＥＤ７からの光を拡散可能に構成してもよい。たとえば、図１９に示す第１変形例によるパネルポスト１８では、パネルポスト１８の側面（側面１８ｃ〜側面１８ｆ）のうち一部の側面（側面１８ｃおよび側面１８ｅ（拡散板１１側の側面））を、シボ加工することによりＬＥＤ７からの光を拡散可能に構成している。
【００７４】
ここで、第１変形例によるパネルポスト１８は、図１９に示すように、固定部１３ｂと、ベース部１３ｄと、対向表面１８ａと、裏面１８ｂと、側面１８ｃ〜側面１８ｆと、接触部１８ｇとを含む。側面１８ｃおよび側面１８ｅは、シボ加工が施されており、ＬＥＤ７からの光を拡散可能に構成されている。また、パネルポスト１８は、ベース部１３ｄから拡散板１１の方向に向かって平板形状を有するとともに、接触部１８ｇは、拡散板１１と線接触するように構成されている。
【００７５】
また、上記第１〜第５実施形態では、本発明のパネルポストを、平板形状または略円錐形状に形成する例を示したが、本発明はこれに限られない。本発明は、パネルポストを、平板形状および略円錐形状以外の形状により形成してもよい。たとえば、図２０に示す第２変形例によるパネルポスト１９では、パネルポスト１９を、円柱形状と略円錐形状とを組み合わせた形状により形成している。
【００７６】
また、上記第１〜第５実施形態では、本発明のパネルポストのＬＥＤと対向する対向表面の両方の端部（たとえば、側面１３ｇ〜側面１３ｊ（図７参照））を、拡散可能に構成する例を示したが、本発明はこれに限られない。本発明は、パネルポストのＬＥＤと対向する対向表面の一方の端部のみを拡散可能に構成してもよい。たとえば、図２０に示す第２変形例によるパネルポスト１９では、パネルポスト１９を、パネルポスト１９のＬＥＤ７と対向する本体部１９ａの一方の端部１９ｂのみを拡散可能に構成している。
【００７７】
ここで、第２変形例によるパネルポスト１９は、図２０に示すように、固定部１３ｂと、ベース部１３ｄと、本体部１９ａと、本体部１９ａの矢印Ｘ２方向側の一部である側面１９ｂと、円錐形状部１９ｃと、接続部１９ｄとを含む。側面１９ｂは、シボ加工が施されており、ＬＥＤ７からの光を拡散可能に構成されている。また、パネルポスト１９は、ベース部１３ｄから拡散板１１の方向に向かって円柱形状を有するとともに、拡散板１１側に略円錐形状を有する円錐形状部１９ｃを有するように構成されている。そして、円錐形状部１９ｃの略円錐形状の頂点に対応する位置に略半球形状の接続部１９ｄが設けられており、接触部１９ｄと拡散板１１とは接触するように構成されている。
【００７８】
また、上記第１〜第５実施形態では、本発明のパネルポストの接触部にシボ加工を施さない例を示したが、本発明はこれに限られない。本発明は、パネルポストの接触部にシボ加工を施してもよい。たとえば、図２１に示す第３変形例によるパネルポスト２０では、接触部２０ｂにシボ加工を施して、ＬＥＤ７からの光をより拡散可能に構成している。
【００７９】
ここで、第３変形例によるパネルポスト２０は、図２１に示すように、固定部１３ｂと、ベース部１３ｄと、本体部２０ａと、接触部２０ｂとを含む。そして、ベース部１３ｄから拡散板１１の方向に向かって円柱形状を有するとともに、略半球形状に形成された接触部２０ｂに拡散板１１側で接続するように構成されている。そして、接触部２０ｂは、拡散板１１と点接触するように構成されている。また、接触部２０ｂは、シボ加工が施されており、ＬＥＤ７からの光を拡散可能に構成されている。
【００８０】
また、上記第１〜第５実施形態では、本発明の光源として、ＬＥＤを用いる例を示したが、本発明はこれに限られない。本発明は、光源として、ＬＥＤ以外の光源を用いてもよい。たとえば、光源として冷陰極蛍光管などの線光源を用いてもよい。
【００８１】
また、上記第１〜第５実施形態では、本発明の光源の配置位置として、ＬＥＤを２列に間隔を隔てて配置する例を示したが、本発明はこれに限られない。本発明は、光源の配置位置として、ＬＥＤを２列以外に配置するように構成してもよい。たとえば、ＬＥＤを１列に配置するように構成してもよいし、ＬＥＤを３列以上に配置するように構成してもよい。
【符号の説明】
【００８２】
１  表示部
７  ＬＥＤ（光源）
１１  拡散板（光学シート）
１２  偏光フィルム（光学シート）
１３〜２０  パネルポスト（光学シート支持部材）
１３ｃ、１７ｅ、１８ｇ、１９ｄ、２０ｂ  接触部
１３ｅ、１４ａ、１７ａ、１８ａ  対向表面
１３ｆ、１４ｂ、１７ｂ、１８ｂ  裏面
１３ｇ〜１３ｊ、１４ｃ、１４ｄ、１６ａ〜１６ｄ、１７ｃ、１７ｄ、１８ｃ〜１８ｆ  側面（端部、一方側端面、他方側端面、拡散部）
１５ａ、１９ａ、２０ａ  本体部（対向表面、表面）
１５ｂ、１５ｃ、１９ｂ  側端面（対向表面の端部、一方側端面、他方側端面、拡散部）
１００〜１０４  液晶テレビジョン装置（表示装置）
【図１】
2015191099.tif 000003
【図２】
2015191099.tif 000004
【図３】
2015191099.tif 000005
【図４】
2015191099.tif 000006
【図５】
2015191099.tif 000007
【図６】
2015191099.tif 000008
【図７】
2015191099.tif 000009
【図８】
2015191099.tif 000010
【図９】
2015191099.tif 000011
【図１０】
2015191099.tif 000012
【図１１】
2015191099.tif 000013
【図１２】
2015191099.tif 000014
【図１３】
2015191099.tif 000015
【図１４】
2015191099.tif 000016
【図１５】
2015191099.tif 000017
【図１６】
2015191099.tif 000018
【図１７】
2015191099.tif 000019
【図１８】
2015191099.tif 000020
【図１９】
2015191099.tif 000021
【図２０】
2015191099.tif 000022
【図２１】
2015191099.tif 000023